【事件の表示】
　特願２０１６−　６７９６５号「遊技機」拒絶査定不服審判事件〔平成２９年１０月　５日出願公開、特開２０１７−１７６４４５号〕について、次のとおり審決する。
【結　論】
　本件審判の請求は、成り立たない。
【理　由】
第１　手続の経緯 
　本願は、平成２８年３月３０日の出願であって、平成３０年１月３０日付けで拒絶の理由が通知され、これに対して、同年３月２８日に意見書及び手続補正書が提出され、同年７月１２日付けで最後の拒絶の理由が通知され、これに対して、同年９月１１日に意見書及び手続補正書が提出されたところ、平成３１年２月１９日付け（送達日：同年２月２６日）で、平成３０年９月１１日付け手続補正が却下されるとともに拒絶査定（以下「原査定」という。）がなされ、これに対して、令和１年５月１５日に拒絶査定不服審判の請求がなされると同時に手続補正書（以下、この手続補正書による補正を「本件補正」という。）が提出されたものである。
第２　本件補正についての補正の却下の決定　
〔補正の却下の決定の結論〕
　本件補正を却下する。
〔理由〕
１ 本件補正の概要
（１）補正の内容
　本件補正は、平成３０年３月２８日付け手続補正書によって補正された本件補正前の請求項１に、
「可変表示を行い、遊技者に価値を付与可能な遊技機であって、
　可変表示の実行回数が特定回数となるまで、遊技者にとって有利な有利状態に制御可能な制御手段と、
　前記有利状態の終了に対応して、遊技者に付与された価値に関する結果報知を実行可能な報知手段と、
　遊技者の動作を検出可能な検出手段と、
　複数のタイミングのうちいずれかのタイミングにおいて前記検出手段により遊技者の動作が検出されたことに基づいて、所定演出を実行可能な演出実行手段とを備え、
　前記特定回数の可変表示が終了する際の特定期間において、前記結果報知を実行し、
　所定演出が実行されるタイミングに応じて、実行可能な所定演出の態様が異なる、
　ことを特徴とする遊技機。」とあったものを、
「可変表示を行い、遊技者に価値を付与可能な遊技機であって、
　可変表示の実行回数が特定回数となるまで、遊技者にとって有利な有利状態に制御可能な制御手段と、
　前記有利状態の終了に対応して、遊技者に付与された価値に関する結果報知を実行可能な報知手段と、
　遊技者の動作を検出可能な検出手段と、
　複数のタイミングのうちいずれかのタイミングにおいて前記検出手段により遊技者の動作が検出されたことに基づいて、所定演出を実行可能な演出実行手段とを備え、
　前記特定回数の可変表示が終了する際の特定期間において、前記結果報知を実行し、
　所定演出が実行されるタイミングに応じて、実行可能な所定演出の態様が異なる
とともに、所定演出が実行されるタイミングにかかわらず、１の所定演出を実行可能であり、
　
前記複数のタイミングのうち最も遅い特定タイミングに前記１の所定演出が実行される場合に、遊技者の動作を促す促進態様に応じて、前記有利状態に制御される割合が異なる、
　ことを特徴とする遊技機。」
と補正するものを含むものである（下線は、補正前後の箇所を明示するために合議体が付した）。
（２）補正の適否
　本件補正は、本件補正前の請求項１に係る発明を特定するために必要な事項である、「複数のタイミングのうちいずれかのタイミングにおいて前記検出手段により遊技者の動作が検出されたことに基づいて、所定演出を実行可能な演出実行手段」に関し、「所定演出が実行されるタイミングに応じて、実行可能な所定演出の態様が異なる」との構成を備えることに加えて、「所定演出が実行されるタイミングにかかわらず、１の所定演出を実行可能であり、前記複数のタイミングのうち最も遅い特定タイミングに前記１の所定演出が実行される場合に、遊技者の動作を促す促進態様に応じて、前記有利状態に制御される割合が異なる」との構成を備えることを限定するものである。
　そして、本件補正前の請求項１に係る発明を特定するために必要な事項と本件補正後の請求項１に係る発明とは、産業上の利用分野及び解決しようとする課題が同一であるから、特許法第１７条の２第５項第２号に掲げる特許請求の範囲の減縮を目的とするものに該当する。
　また、本件補正は、願書に最初に添付された特許請求の範囲、明細書及び図面（以下「当初明細書等」という。）の【０１２９】、【０１９１】ないし【０１９２】、【０１９８】、【０２０１】ないし【０２０２】、【図２３】、【図２５】等の記載からみて、新規事項を追加するものでないから、特許法第１７条の２第１項に規定する要件を満たす。
３　独立特許要件について
　そこで、本件補正後の請求項１に記載された発明（以下「本願補正発明」という。）が、特許法第１７条の２第６項において準用する同法第１２６条第７項の規定に適合するか、すなわち、特許出願の際独立して特許を受けることができるものであるかについて以下に検討する。
（１）本願補正発明 
　本願補正発明は、本件補正後の特許請求の範囲の請求項１に記載された事項により特定される次のとおりのものである。なお、記号ＡないしＨは、分説するため合議体が付した。 
  
「Ａ　可変表示を行い、遊技者に価値を付与可能な遊技機であって、
　Ｂ　可変表示の実行回数が特定回数となるまで、遊技者にとって有利な有利状態に制御可能な制御手段と、
　Ｃ　前記有利状態の終了に対応して、遊技者に付与された価値に関する結果報知を実行可能な報知手段と、
　Ｄ　遊技者の動作を検出可能な検出手段と、
　Ｅ　複数のタイミングのうちいずれかのタイミングにおいて前記検出手段により遊技者の動作が検出されたことに基づいて、所定演出を実行可能な演出実行手段とを備え、
　Ｆ　前記特定回数の可変表示が終了する際の特定期間において、前記結果報知を実行し、
　Ｇ　所定演出が実行されるタイミングに応じて、実行可能な所定演出の態様が異なるとともに、所定演出が実行されるタイミングにかかわらず、１の所定演出を実行可能であり、
　Ｈ　前記複数のタイミングのうち最も遅い特定タイミングに前記１の所定演出が実行される場合に、遊技者の動作を促す促進態様に応じて、前記有利状態に制御される割合が異なる、
　Ａ　ことを特徴とする遊技機。」 
（２）引用例
　ア　引用発明について
　原査定の拒絶の理由に引用文献１として引用され、本願の出願日前に頒布され又は電気通信回線を通じて公衆に利用可能となった特開２０１４−１８４０７６号公報（平成２６年１０月２日出願公開、以下「引用例」という。）には、遊技機に関し、図面と共に次の事項が記載されている（下線は引用発明等の認定に関連する箇所を明示するために合議体が付した。以下同様）。 
（ア）「【技術分野】
【０００１】
　本発明は、各々を識別可能な複数種類の識別情報の
可変表示を行い
【背景技術】
【０００２】
　遊技機として、遊技媒体である遊技球を発射装置によって遊技領域に発射し、遊技領域に設けられている入賞口などの入賞領域に遊技球が入賞すると、所定の入賞価値を遊技者に与えるように構成されたものがある。さらに、識別情報を可変表示（「変動」ともいう。）可能な可変表示部が設けられ、可変表示部において識別情報の可変表示の表示結果が特定表示結果となった場合に、所定の遊技価値を遊技者に与えるように構成されたものがある。
【０００３】
　なお、
入賞価値とは、入賞領域への遊技球の入賞に応じて賞球を払い出したり得点や景品を付与したりすること
　・・・略・・・
【０００９】
　そこで、本発明は、
特別遊技状態が終了する特別回数目の可変表示に遊技者の関心を惹きつけることができる遊技機を提供することを目的とする
（イ）「【発明を実施するための形態】
【００１５】
　以下、本発明の実施の形態を、図面を参照して説明する。まず、遊技機の一例である
パチンコ遊技機１
（ウ）「【００１８】
　余剰球受皿（下皿）４を形成する部材には、例えば下皿本体の上面における手前側の所定位置（例えば下皿の中央部分）などに、スティック形状（棒形状）に構成され、
遊技者が把持して複数方向（前後左右）に傾倒操作が可能なスティックコントローラ１２２が取り付けられ
遊技者がスティックコントローラ１２２の操作桿を操作手（例えば左手など）で把持した状態において、所定の操作指（例えば人差し指など）で押引操作することなどにより所定の指示操作が可能なトリガボタン１２１
が設けられ、スティックコントローラ１２２の操作桿の内部には、トリガボタン１２１に対する押引操作などによる所定の指示操作を検知するトリガセンサ１２５
が内蔵されている
スティックコントローラ１２２の下部における下皿の本体内部などには、操作桿に対する傾倒操作を検知する傾倒方向センサユニット１２３
が設けられている
【００１９】
　打球供給皿（上皿）３を形成する部材には、例えば上皿本体の上面における手前側の所定位置（例えばスティックコントローラ１２２の上方）などに、
遊技者が押下操作などにより所定の指示操作を可能なプッシュボタン１２０が設けられ
プッシュボタン１２０は、遊技者からの押下操作などによる所定の指示操作を、機械的、電気的、あるいは、電磁的に、検出できるように構成されて
プッシュボタン１２０に対してなされた遊技者の操作行為を検知するプッシュセンサ１２４
が設けられ
　・・・略・・・
【００６９】
　また、
演出制御用ＣＰＵ１０１は、スティックコントローラ１２２のトリガボタン１２１に対する遊技者の操作行為を検出したことを示す情報信号としての操作検出信号を、トリガセンサ１２５から、入力ポート１０６を介して入力する
演出制御用ＣＰＵ１０１は、プッシュボタン１２０に対する遊技者の操作行為を検出したことを示す情報信号としての操作検出信号を、プッシュセンサ１２４から、入力ポート１０６を介して入力する
演出制御用ＣＰＵ１０１は、スティックコントローラ１２２の操作桿に対する遊技者の操作行為を検出したことを示す情報信号としての操作検出信号を、傾倒方向センサユニット１２３から、入力ポート１０６を介して入力する
　・・・略・・・
【００７５】
　
演出制御基板８０は
演出制御用ＣＰＵ１０１
を含む演出制御用マイクロコンピュータ１００を搭載している
（エ）「【０１５９】
　
演出制御基板８０に搭載されている演出制御用マイクロコンピュータ１００（具体的には、演出制御用ＣＰＵ１０１）は、
演出制御コマンドを受信すると、
演出表示装置９の表示状態を変更したり、ランプの表示状態を変更したり、音声出力基板７０に対して音番号データを出力したりする
（オ）「【０２９０】
　この実施の形態では、
確変状態において特別回数目（本例では７０回目）の変動表示が行われるときに、その確変状態が終了する旨を報知するための確変終了報知演出が実行され
確変終了報知演出は、確変状態における特別回数目（本例では７０回目）の変動表示の表示結果がはずれのときに実行される通常確変終了報知演出と、表示結果が大当りのときに実行される特殊確変終了報知演出とのいずれかの演出態様で実行され
【０２９１】
　
具体的には、通常確変終了報知演出では、確変状態における特別回数目（本例では７０回目）の変動表示が開始され、はずれ図柄が停止表示された後に、確変状態が終了する旨を報知するための確変終了報知画面（本例では大当り連荘数と獲得出玉（大当り遊技中に払い出された賞球の数）とが示される（図３５（Ａ３）参照）が表示され
【０２９２】
　
また、特殊確変終了報知演出では、確変状態における特別回数目（本例では７０回目）の変動表示が開始され、はずれ図柄が仮停止表示された後に、確変状態が終了する旨を報知するための確変終了報知画面（本例では大当り連荘数と獲得出玉（連荘中の大当り遊技において払い出された賞球の数）とが示される（図３５（Ｂ３）参照））が表示され
【０２９３】
　
演出制御用マイクロコンピュータ１００は、確変終了報知画面において示される大当り連荘数を
取得する
獲得出玉を算出する
大入賞口に入賞した遊技球が
検出されたことに基づいて賞球の払い出しが行われる
確変終了報知画面として、大当り連荘数と獲得出玉とを表示する
【０２９４】
　この実施の形態では、通常確変終了報知演出と特殊確変終了報知演出とで、共通のタイミングで確変終了報知画面が表示される（例えば、図３５（Ａ３），（Ｂ３）、図３６の変動開始から１０秒後のタイミング等参照）。また、通常確変終了報知演出では、確変終了報知画面が表示される前にはずれ図柄が停止表示されるのに対して、特殊確変終了報知演出では、確変終了報知画面が表示された後に演出図柄が再度変動する復活演出が行われるため、確変終了報知画面が表示される前にはずれ図柄が仮停止表示（例えば、演出図柄が完全に停止せず、僅かに振動している）されるが、画面表示上は、停止表示であるか仮停止表示であるかが明確に認識できるほどの違いがない。つまり、通常確変終了報知演出と特殊確変終了報知演出とのいずれの場合も、変動開始から確変終了報知画面が表示されるまでは、演出表示装置９において共通（略共通）の画面表示が行われる。そのため、特別回数目の変動表示では、大当りが発生することによって確変状態が継続するか否かに注目させるとともに、確変終了報知画面が表示されても大当りが発生することの期待感を持続させることができ、遊技者の関心を惹きつけることができる。
【０２９５】
　また、この実施の形態では、
遊技制御用マイクロコンピュータ５６０
確変状態に制御される最後の変動表示（特別回数目（７０回目）の変動表示）であるか否かが確認され、最後の変動表示（特別回数目（７０回目）の変動表示）である場合には
確変終了報知演出の演出態様（通常確変終了報知演出または特殊確変終了報知演出）が決定され
（カ）「【０３２３】
　図３５は、通常確変終了報知演出及び特殊確変終了報知演出の具体例を示す説明図である。
確変状態における特別回数目の変動表示において、表示結果が「はずれ」のときに行われる通常確変終了報知演出では、演出図柄の変動表示が開始され
はずれ図柄「１８５」が停止表示されると
、その後、はずれ図柄「１８５」とともに大当り連荘数（本例では２）と獲得出玉（本例では５０００）とが示される確変終了報知画面が表示され
【０３２４】
　
また、確変状態における特別回数目の変動表示において、表示結果が当り（１５Ｒ確変大当りまたは突然確変大当り）のときに行われる特殊確変終了報知演出では、演出図柄の変動表示が開始され
はずれ図柄「１８５」が仮停止表示されると
はずれ図柄「１８５」とともに大当り連荘数（本例では２）と獲得出玉（本例では５０００）とが示される確変終了報知画面が表示される
【０３２５】
　図３５に示すように、通常確変終了報知演出が実行される場合（図３５（Ａ１）〜（Ａ３））と、特殊確変終了報知演出が実行される場合（図３５（Ｂ１）〜（Ｂ３））とで、変動開始から確変終了報知画面が表示されるまで、演出表示装置９において同じ（略同じ）表示制御が行われる。通常確変終了報知演出が実行される場合には、図３５（Ａ２）に示すタイミングではずれ図柄が停止表示されているのに対して、特殊確変終了報知演出が実行される場合には、確変終了報知画面が表示された後に演出図柄が再度変動する復活演出が行われるため、図３５（Ｂ２）に示すタイミングでは、はずれ図柄が仮停止表示（例えば、完全に停止せず僅かに振動している）されているが、画面表示上は、停止表示であるか仮停止表示であるかが明確に認識できるほどの違いがない。また、通常確変終了報知演出と特殊確変終了報知演出とで、共通のタイミングで確変終了報知画面が表示される（図３５（Ａ３），（Ｂ３）。（例えば、後述する図３６に示される変動開始から１０秒後の時点））。そのため、遊技者は、確変終了報知画面が表示された時点では、通常確変終了報知演出と特殊確変終了報知演出とのいずれであるかを判断することはできない。したがって、特別回数目の変動表示では、大当りが発生することによって確変状態が継続するか否かに注目させるとともに、確変終了報知画面が表示されても大当りが発生することの期待感を持続させることができ、遊技者の関心を惹きつけることができる。
【０３２６】
　図３６は、通常確変終了報知演出および特殊確変終了報知演出の実行タイミングを示すタイムチャートである。この実施の形態では、図３６（Ａ）に示すように、通常確変終了報知演出が行われる場合には、変動開始から１０秒後（変動パターン「特殊はずれ」の変動時間（図６参照））に、はずれ図柄が停止表示され、確変終了報知画面が表示される。また、図３６（Ｂ）に示すように、特殊確変終了報知演出が行われる場合には、変動開始から１０秒後に、はずれ図柄が仮停止表示され、確変終了報知画面が表示される。そして、確変終了報知画面が表示された後に、仮停止表示された演出図柄が再度変動する復活演出が行われ、変動開始から２０秒後（変動パターン「特殊当り」の変動時間（図６参照））に、大当り図柄が停止表示される。図３６に示すように、変動開始から１０秒後まで（はずれ時の変動表示が停止するまで）は、通常確変終了報知演出と特殊確変終了報知演出とで、はずれ図柄の停止表示または仮停止表示と、確変終了報知画面の表示とが同じタイミングで行われる。そのため、遊技者は、確変終了報知画面が表示された時点では、通常確変終了報知演出と特殊確変終了報知演出とのいずれであるかを判断することはできない。したがって、確変終了報知画面が表示されても大当りが発生することの期待感を持続させることができ、特別回数目の変動表示に遊技者の関心を惹きつけることができる。なお、この実施の形態では、表示結果が１５Ｒ確変大当りまたは突然確変大当りのときには、大当り種別に関わらず、同じ変動パターン「特殊当り」に決定されるように構成されているが、これに限らず、複数種類の変動パターン「特殊当り」を設け（例えば、変動時間が異なる）、大当り種別に応じて、いずれかの変動パターン「特殊当り」に決定するようにしてもよい。ただし、この場合であっても、確変終了報知画面は共通のタイミングで表示され（例えば、「特殊はずれ」の変動時間が経過したタイミング（図３６に示す変動開始から１０秒後））、復活演出の時間のみが異なるようにすることが望ましい。
【０３２７】
　以上に説明したように、この実施の形態では、遊技制御用マイクロコンピュータ５６０は、所定条件の成立（本例では大当り（特定遊技状態）の発生）にもとづいて遊技者にとって有利な特別遊技状態（本例では確変状態。なお、確変状態に限らず時短状態を含むようにしてもよいし、遊技の進行に応じてポイントを付与する構成であれば、ポイントを高確率で付与する状態を含むようにしてもよい）に識別情報の可変表示が特別回数行われるまで（本例では確変状態において可変表示の回数が７０回に達するまで、または大当り（特定遊技状態）が発生するまで）制御する。また、演出制御用マイクロコンピュータ１００は、特別遊技状態中において、特別回数目の識別情報の可変表示が行われるときに、該特別遊技状態が終了する旨を報知するための報知演出を実行する（通常確変終了報知演出または特殊確変終了報知演出で確変終了報知画面の表示制御を行う）。そして、演出制御用マイクロコンピュータ１００は、特別遊技状態における特別回数目の識別情報の可変表示で特定表示結果（大当り図柄）を導出表示すると決定されたときには、特別回数目の識別情報の可変表示が開始された後に、該特別遊技状態が終了する旨を報知するための報知演出を実行し（確変終了報知画面の表示制御を行い）、その後、特定表示結果を導出表示する特殊確変終了報知演出を実行する。そのように構成されることによって、特別遊技状態における特別回数目の変動表示では、特定表示結果（大当り図柄）が導出表示されることによって特別遊技状態（本例では確変状態）が継続するか否かに注目させるとともに、該特別遊技状態が終了する旨を報知するための報知演出が実行されても（確変終了報知画面が表示されても）、特定表示結果（大当り図柄）が導出表示されることの期待感を持続させることができ、遊技者の関心を惹きつけることができる。」
（キ）「【０３２９】
　なお、この実施の形態では、特別遊技状態（確変状態）中における特別回数目の識別情報の可変表示において、特定表示結果（大当り図柄）が導出表示されるか否かに関わらず、報知演出が実行される（確変終了報知画面が表示される）が、
特定表示結果（大当り図柄）が導出表示されると決定されている場合には、所定条件を満たしたときにのみ報知演出が実行される（確変終了報知画面が表示される）ようにしてもよい。つまり、特別遊技状態（確変状態）中における特別回数目の識別情報の可変表示において、確変終了報知画面が表示されることなく（特殊確変終了報知演出が実行されることなく）大当り図柄が停止表示されてもよい。
（ク）「【図３】
」
（ケ）「【図６】
」
（コ）「【図３５】
」
（サ）上記（ク）（【図３】）の図示内容から、
トリガボタン１２１及びプッシュボタン１２４からの信号が入力ポート１０６を介して演出制御基板８０に入力され、傾倒方向センサユニット１２３からの信号が入力ポート１０７を介して演出制御基板８０に入力され
（シ）上記（ケ）（【図６】）の図示内容から、変動パターンとして、スーパーリーチはずれやスーパーリーチ当りを行う変動パターンを含むことが看取できる。
（ス）上記（ア）の【０００９】に、「特別遊技状態が終了する特別回数目の可変表示に遊技者の関心を惹きつけることができる遊技機を提供することを目的とする」ことが記載されているところ、興趣の向上により遊技者の関心を惹きつけることが可能となることは、当業者にとって自明であることからすれば、興趣の向上という目的を有することも明らかである。
（セ）上記（ア）ないし（ス）の記載内容及び図示内容からみて、引用例には、実施形態として、次の発明（以下「引用発明」という。）が記載されている。なお、ａないしｈについては本願発明のＡないしＨに対応させて付与し、引用箇所の段落番号等を併記した。
［引用発明］
「ａ　可変表示を行い（【０００１】）、大入賞口に入賞した遊技球が検出されたことに基づいて賞球の払い出しが行われる（【０２９３】）パチンコ遊技機１（【００１５】）であって、
ｂ　確変状態に制御される最後の変動表示（特別回数目（７０回目）の変動表示）であるか否かを確認し、最後の変動表示（特別回数目（７０回目）の変動表示）である場合には、確変終了報知演出の演出態様（通常確変終了報知演出または特殊確変終了報知演出）を決定する遊技制御用マイクロコンピュータ５６０（【０２９５】）と、
ｃ　確変終了報知画面において示される大当り連荘数を取得し、獲得出玉を算出し、確変終了報知画面として、大当り連荘数と獲得出玉とを表示する演出制御用マイクロコンピュータ１００（【０２９３】）と、を備え、
ｄ　遊技者が把持して複数方向（前後左右）に傾倒操作が可能なスティックコントローラ１２２が取り付けられ、スティックコントローラ１２２の下部における下皿の本体内部などには、操作桿に対する傾倒操作を検知する傾倒方向センサユニット１２３が設けられており（【００１８】）、
　遊技者がスティックコントローラ１２２の操作桿を操作手（例えば左手など）で把持した状態において、所定の操作指（例えば人差し指など）で押引操作することなどにより所定の指示操作が可能なトリガボタン１２１が設けられ、スティックコントローラ１２２の操作桿の内部には、トリガボタン１２１に対する押引操作などによる所定の指示操作を検知するトリガセンサ１２５が内蔵されており（【００１８】）、
　また、遊技者が押下操作などにより所定の指示操作を可能なプッシュボタン１２０が設けられ、プッシュボタン１２０は、遊技者からの押下操作などによる所定の指示操作を、機械的、電気的、あるいは、電磁的に、検出できるように構成されており、プッシュボタン１２０に対してなされた遊技者の操作行為を検知するプッシュセンサ１２４が設けられ（【００１９】）、
ｅ　演出制御用ＣＰＵ１０１を含む演出制御用マイクロコンピュータ１００を搭載した演出制御基板８０を備え（【００７５】）、
　演出制御用ＣＰＵ１０１は、スティックコントローラ１２２のトリガボタン１２１に対する遊技者の操作行為を検出したことを示す情報信号としての操作検出信号を、トリガセンサ１２５から、入力ポート１０６を介して入力し、
　プッシュボタン１２０に対する遊技者の操作行為を検出したことを示す情報信号としての操作検出信号を、プッシュセンサ１２４から、入力ポート１０６を介して入力し、
　スティックコントローラ１２２の操作桿に対する遊技者の操作行為を検出したことを示す情報信号としての操作検出信号を、傾倒方向センサユニット１２３から、入力ポート１０６を介して入力し（【００６９】）、
　トリガボタン１２１及びプッシュボタン１２４からの信号が入力ポート１０６を介して演出制御基板８０に入力され、傾倒方向センサユニット１２３からの信号が入力ポート１０７を介して演出制御基板８０に入力され（上記（サ）、【図３】）、
　また、演出制御基板８０に搭載されている演出制御用マイクロコンピュータ１００（具体的には、演出制御用ＣＰＵ１０１）は、主基板３１に搭載されている遊技制御用マイクロコンピュータ５６０から演出制御コマンドを受信すると、演出表示装置９の表示状態を変更したり、ランプの表示状態を変更したり、音声出力基板７０に対して音番号データを出力したりし（【０１５９】）、
ｆ　確変状態における特別回数目の変動表示において、表示結果が「はずれ」のときに行われる通常確変終了報知演出では、演出図柄の変動表示が開始され、はずれ図柄「１８５」が停止表示されると、その後、はずれ図柄「１８５」とともに大当り連荘数（本例では２）と獲得出玉（本例では５０００）とが示される確変終了報知画面が表示され（【０３２３】）、
  また、確変状態における特別回数目の変動表示において、表示結果が当り（１５Ｒ確変大当りまたは突然確変大当り）のときに行われる特殊確変終了報知演出では、演出図柄の変動表示が開始され、はずれ図柄「１８５」が仮停止表示されると、はずれ図柄「１８５」とともに大当り連荘数（本例では２）と獲得出玉（本例では５０００）とが示される確変終了報知画面が表示される（【０３２４】）、
ａ　パチンコ遊技機１（【００１５】）。」 
　イ　引用文献２の記載について
　原査定の拒絶の理由に引用文献２として引用され、本願の出願前に頒布され又は電気通信回線を通じて公衆に利用可能となった特開２０１５−２２１３４７号公報（平成２７年１２月１０日出願公開、以下、同じく「引用文献２」という。）には、「遊技機」の発明に関し、図面と共に次の事項が記載されている（下線は当審で付した）。 
（ア）「【技術分野】
【０００１】
　本発明は、パチンコ機などの遊技機に関するものである。」
（イ）「【発明を実施するための形態】
【００１５】
　以下、本発明の実施形態について、添付図面を参照して説明する。まず、図１〜図５１を参照し、第１実施形態として、本発明を
パチンコ遊技機
１０
（ウ）「【００２１】
　また、上皿１７の上面には、枠ボタン２２が設けられている。
枠ボタン２２は
遊技者による操作指示（例えば、押下指示）を受け付ける
（エ）「【０１７３】
　
スーパーリーチＡによる変動演出およびノーマルリーチＡによる変動演出では、
まず、高速変動中に予告演出としてコメント表示１５１を行う。このコメント表示１５１は、遊技者による枠ボタン２２の操作指示があったこと（即ち、枠ボタンがＯＮ操作されたこと）をトリガとして第３図柄表示装置８１の演出表示領域Ｄｂに表示される
【０１７４】
　このコメント表示１５１による予告演出は、以下の手順に従って表示される。まず、スーパーリーチＡによる変動演出およびノーマルリーチＡによる変動演出において高速変動が開始されると、その開始から２秒後に、少年１６１（図９（ａ）参照）が第３図柄表示装置８１の演出表示領域Ｄｂに表示される。少年１６１が表示されると、枠ボタン２２の操作を受け付ける枠ボタン操作受付期間が開始され、演出表示領域Ｄｂには少年１６１と共に枠ボタン２２の操作を促す画像（図示せず）が表示される。枠ボタン操作受付期間は、最大で５秒間継続され、枠ボタン操作受付期間が継続されている間、枠ボタン２２の操作を促す画像が演出表示領域Ｄｂに表示され続ける。
【０１７５】
　そして、５秒間の枠ボタン操作受付期間中に遊技者により枠ボタン２２が操作されなければ、少年１６１が第３図柄表示装置８１の画面上から消え、コメント表示１５１による予告演出を行わずに、変動演出を継続する。一方、枠ボタン操作受付期間中に枠ボタン２２が遊技者によって操作された場合は、その時点で枠ボタン操作受付期間を終了し、コメント表示１５１による予告演出を行う。
【０１７６】
　ここで、図９（ａ）を参照して、コメント表示１５１による予告演出の詳細について説明する。図９（ａ）は、コメント表示１５１による予告演出において第３図柄表示装置８１に表示される画像を模式的に示した模式図である。
【０１７７】
　コメント表示１５１による予告演出では、予め演出表示領域Ｄｂに表示されていた少年１６１の画像から吹き出し１６２を演出表示領域Ｄｂに表示し、その吹き出し１６２の中に「大当たりの予感・・・？！」、「リーチかも！」といった文字情報を表示する。
【０１７８】
　尚、このコメント表示１５１による予告演出が行われる時点では、第３図柄の変動表示が演出表示領域Ｄｂを覆い被すように行われているが、この時点における第３図柄の変動表示は、遊技者に視認不能な高速変動であり、演出表示領域Ｄｂに表示される画像が遊技者に十分視認できるようになっている。
【０１７９】
　コメント表示１５１では、吹き出し１６１に表示される文字情報により、遊技者に当たるかもしれない、という期待感を持たせることができる。但し、この文字情報は、遊技者による枠ボタン２２の操作指示を受け付けた時点でランダムに選択するように構成している。即ち、吹き出し１６１の文字情報自体は、大当たりとなる期待度を表すものではなく、
遊技者の遊技に対する興趣を高めるためのもの
【０１８０】
　一方、吹き出し１６２の周囲には、フレーム（枠）１６３が設けられており、このフレーム１６３の表示色で大当たりとなる期待度を表している。ここで、図１３を参照して、フレーム１６３の表示色と大当たりとなる期待度との関係を説明する。図１３は、各予告演出において、大当たりの期待度を示す態様を説明する図である。尚、図１３には、判定上限値ポインタ２２２ｂについても示しているが、この判定上限値ポインタ２２２ｂについては後述する。
【０１８１】
　この図１３では、大当たりとなる期待度を示したランクが「１」〜「５」で示されている。そして、ランク「１」が、大当たりとなる期待度が最も低いランクであり、ランク「２」が、大当たりとなる期待度が２番目に低いランクである。そして、ランク「３」、「４」と上がるにつれて、大当たりとなる期待度が高くなり、ランク「５」が、大当たりとなる期待度が１００％、即ち、必ず大当たりとなるランクである。
【０１８２】
　スーパーリーチＡによる変動演出およびノーマルリーチＡによる変動演出において実行される各予告演出は、それぞれ５つのパターンを有しており、各パターンに対してそれぞれ異なるランクが対応付けられている。各予告演出において、５つのパターンの中から選択された１のパターンに従って演出を実行することにより、その予告演出で実行された演出の内容から、大当たりとなる期待度を５つのランクで遊技者に示すことができる。なお、各ランクにおける大当たりの期待度は、どの予告演出であってもそれぞれ同一に設定される。即ち、１の予告演出と別の予告演出とにおいて同一ランクの期待度が示された場合は、それぞれの予告演出において示される期待度は同じ期待度となる。
【０１８３】
　
図１３に示す通り、コメント表示１５１による予告演出では、吹き出し１６２のフレーム１６３の表示色が白である場合に、期待度としてランク「１」を示す。フレーム１６３の表示色が青の場合に、期待度としてランク「２」を示す。フレーム１６３の表示色が赤の場合に、期待度としてランク「３」を示す。フレーム１６３の表示色がトラ柄の場合に、期待度としてランク「４」を示す。そして、フレーム１６３の表示色が虹色（レインボー）の場合に、期待度としてランク「５」（つまり、１００％大当たり）を示す。
　・・・略・・・
【０１９１】
　図８に戻り、予告演出の説明を続ける。
スーパーリーチＡによる変動演出では、発展画像を表示中にも予告演出を行う。具体的には、発展画像を表示中にスーパーリーチの種類を選択するスーパーリーチ選択１５３による予告演出が行われる。このスーパーリーチ選択１５３では、発展画像に続いて表示されるスーパーリーチ変動の種別（リーチ種）を、遊技者が枠ボタン２２を操作したタイミングに応じて５つのリーチ種の中から選択する演出であり、選択されたリーチ種によって、大当たりとなる期待度を示す。
【０１９２】
　ここで、図１０を参照して、スーパーリーチ選択１５３による予告演出の詳細について説明する。図１０は、スーパーリーチ選択１５３による予告演出において第３図柄表示装置８１に表示される画像を模式的に示した模式図である。尚、図１０に示す通り、スーパーリーチ選択１５３による予告演出が行われる発展画像では、第３図柄の変動表示が第３図柄表示装置８１の左上隅に小さく表示される。よって、スーパーリーチ選択１５３による予告演出は、演出表示領域Ｄｂ一杯に大きく表示される。
【０１９３】
　このスーパーリーチ選択１５３による予告演出は、発展画像が表示されてから２秒後、即ち、変動開始から３２秒後に開始され、図１０に示す画像を表示する。この画像では、演出表示領域Ｄｂの中央部に宝箱１６５を表示し、上部に「宝箱を破壊せよ！」との文字情報を表示する。これにより、宝箱を破壊できれば大当たりとなる演出がスーパーリーチ変動中に行われることを、遊技者に対して通知する。また、演出表示領域Ｄｂの左部に少年１６６を表示し、その少年１６６から吹き出しを表示して、その吹き出し中に「破壊者を決めるぞ！ボタンを押せ！」との文字情報を表示する。加えて、演出表示領域Ｄｂの右部には、破壊者の候補として、子供１６７の画像と、男性１６８の画像と、魔女１６９の画像と、雷神１７０の画像とを表示する。そして、子供１６７、男性１６８、魔女１６９、雷神１７０のうちいずれか一つの画像をハイライト表示し（図１０では、子供１６７がハイライト表示）、そのハイライト表示される画像を高速で順次入れ替える。これにより、遊技者に対して、枠ボタン操作２２を操作することにより、破壊者が選択されることを認識させる。
【０１９４】
　スーパーリーチ選択１５３による予告演出では、ここで選択される各破壊者に対して、その後に行われるスーパーリーチ変動のリーチ種がそれぞれ対応付けられている。即ち、子供１６７に対しては、スーパーリーチ変動中に子供１６７が一発だけ宝箱をたたいて破壊しようとする演出を表示する「一発リーチ」が対応付けられ、男性１６８に対しては、スーパーリーチ変動中に男性１６８が宝箱を連打して破壊しようとする演出を表示する「連打リーチ」が対応付けられ、魔女１６９に対しては、スーパーリーチ変動中に魔女１６９が宝箱に魔法をかけて破壊しようとする「魔法リーチ」が対応付けられ、雷神１７０に対しては、スーパーリーチ変動中に雷神１７０が宝箱に雷を落として破壊しようとする「雷リーチ」が対応付けられている。更に、スーパーリーチ選択１５３による予告演出画面には表示されていないものの、ここで選択されるリーチ種として、更に、仏様１７２（図１１（ｂ）参照）がお経を唱えて宝箱を開放する「仏様リーチ」がある。
【０１９５】
　上述した通り、これらのリーチ種によって、変動演出後に大当たりとなる期待度が表される。ここで、再び図１３を参照して、スーパーリーチ選択１５３による予告演出によって選択されるリーチ種と大当たりとなる期待度との関係を説明する。
【０１９６】
　
図１３に示す通り、スーパーリーチ選択１５３による予告演出によって選択されたリーチ種が「一発リーチ」であれば、期待度としてランク「１」を示し、「連打リーチ」であれば、期待度としてランク「２」を示し、「魔法リーチ」であれば、期待度としてランク「３」を示し、「雷リーチ」であれば、期待度としてランク「４」を示し、「仏様リーチ」であれば、期待度としてランク「５」を示す。即ち、「仏様リーチ」は、大当たりとなる期待度が１００％のリーチ種である。スーパーリーチ選択１５３による予告演出において仏様１７２の画像は表示されていないが、この表示されていない仏様１７２をスーパーリーチ開始時に表示し、その仏様１７２をモチーフとしてスーパーリーチ変動を行う事で、遊技者に特別なリーチ、即ち、大当たりへの期待度が１００％である所謂プレミアムリーチへ発展したことを強く印象づけることができる。これにより、遊技者の遊技に対する興趣を大いに高めることができる。
【０１９７】
　図８に戻り、スーパーリーチ選択１５３による予告演出についての説明を続ける。本パチンコ機１０の内部処理的には、スーパーリーチ選択１５３による予告演出において、遊技者が枠ボタン２２を操作したタイミングに基づいて、スーパーリーチ変動のリーチ種を上記「一発リーチ」、「連打リーチ」、「魔法リーチ」、「雷リーチ」、「仏様リーチ」の中から選択する。そして、その選択結果を、スーパーリーチ変動の開始時に行われる後述のキャラクタ登場１５４による予告演出にて、選択されたリーチ種に対応するキャラクタ画像を表示することによって、遊技者に通知する。これにより、遊技者に対して、スーパーリーチ選択１５３による予告演出中に枠ボタン２２を操作したタイミングに基づいて宝箱を破壊する破壊者が選択されたように見せることができる。
【０１９８】
　スーパーリーチ選択１５３による予告演出時において、遊技者による枠ボタン２２の操作指示は、スーパーリーチ選択１５３による予告演出が開始された時点（即ち、第３図柄表示装置８１に図１０で示した画像が表示された時点）で始まる枠ボタン操作受付期間中に受け付けられる。枠ボタン操作受付期間は、最大で５秒間継続され、枠ボタン操作受付期間が継続している間、図１０の画像が演出表示領域Ｄｂに表示され続ける。
【０１９９】
　そして、枠ボタン操作受付期間中に枠ボタン２２が遊技者によって操作された場合は、その時点で枠ボタン操作受付期間を終了し、また、リーチ種を「一発リーチ」、「連打リーチ」、「魔法リーチ」、「雷リーチ」、「仏様リーチ」の中から選択する。一方、５秒間の枠ボタン操作受付期間中に遊技者により枠ボタン２２が操作されなかった場合は、そのまま枠ボタン操作受付期間を終了し、その時点で、リーチ種を「一発リーチ」、「連打リーチ」、「魔法リーチ」、「雷リーチ」、「仏様リーチ」の中から選択する。
【０２００】
　どのリーチ種を選択するかは、予告演出が行われる変動演出の結果（大当たりとなるか、外れとなるか）と、その変動演出の変動パターン（ノーマルリーチＡか、スーパーリーチＡか）とに基づいて、遊技者による枠ボタン２２の操作指示を受け付けた時点、または、枠ボタン２２が操作されずに枠ボタン操作受付期間が終了した時点でランダムに決定する。その決定方法については、後述する。
【０２０１】
　スーパーリーチ選択１５３による予告演出では、選択されたリーチ種に対応する破壊者の画像は、上述した通り、即座に表示せず、スーパーリーチ変動の開始時に行われるキャラクタ登場１５４による予告演出にて表示する。枠ボタン操作受付期間を終了してから、キャラクタ登場１５４による予告演出が行われるまでの間は、図１０に示す少年１６６の吹き出しの内容を「破壊者は誰だ？」という文字情報に変えた上で、引き続き、子供１６７、男性１６８、魔女１６９、雷神１７０に対して行われているハイライト表示を行う。これにより、キャラクタ登場１５４による予告演出が表示されるまで、遊技者にどの破壊者が選択されたかという期待感を持たせながら、スーパーリーチ選択１５３による予告演出に注目させることができる。
　・・・略・・・
【０２１８】
　図８に戻り、予告演出の説明を続ける。
スーパーリーチＡによる変動演出では、スーパーリーチ変動中に、予告演出として更にカットイン１５５を行う。このカットイン１５５は、遊技者による枠ボタン２２の操作指示があったこと（即ち、枠ボタンがＯＮ操作されたこと）をトリガとして第３図柄表示装置８１の演出表示領域Ｄｂに表示される。
【０２１９】
　このカットイン１５５による予告演出は、以下の手順に従って表示される。まず、スーパーリーチ変動の開始から５秒後（変動開始から４５秒後）に、枠ボタン２２の操作を受け付ける枠ボタン操作受付期間が開始され、演出表示領域Ｄｂに枠ボタン２２の操作を促す画像（図示せず）が表示される。枠ボタン操作受付期間は、１０秒間継続され、枠ボタン操作受付期間が継続されている間、後述するカットイン画像が表示されている間を除き、枠ボタン２２の操作を促す画像が演出表示領域Ｄｂに表示され続ける。
【０２２０】
　そして、１０秒間の枠ボタン操作受付期間中に遊技者により枠ボタン２２が操作されなければ、枠ボタン２２の操作を促す画像が演出表示領域Ｄｂから消去され、カットイン１５５による予告演出を行わずに変動演出を継続する。一方、枠ボタン操作受付期間中に枠ボタン２２が遊技者によって操作された場合は、その時点で後述のカットイン画像を１秒間、演出表示領域Ｄｂに表示する。カットイン１５５による予告演出では、枠ボタン操作受付期間であれば、何度も枠ボタン２２の操作を受付可能に構成されており、枠ボタン２２の操作を受け付ける毎に、カットイン画像を表示する。
【０２２１】
　ここで、図１２を参照して、カットイン１５５による予告演出の詳細について説明する。図１２は、カットイン１５５による予告演出において第３図柄表示装置８１に表示されるカットイン画像を模式的に示した模式図である。
【０２２２】
　図１２に示される通り、カットイン１５５による予告演出においても、第３図柄の変動表示を、第３図柄表示装置８１の画面左上隅（図１０参照）に小さく表示している。これにより、カットイン１５５による予告演出を、第３図柄の変動表示に影響されることなく演出表示領域Ｄｂに表示させることができるので、その演出に遊技者を注目させることができ、
遊技者の興趣を高めることができる
【０２２３】
　カットイン１５５による予告演出では、キャラクタ登場１５４による予告演出で表示したキャラクタの右目１７３をズームアップして予告演出領域Ｄｂに表示し、そのズームアップした右目を囲うようにしてカットインフレーム１７４を演出表示領域Ｄｂに表示する。
カットイン１５５による予告演出では、このカットインフレーム１７４の表示色で大当たりとなる期待度を表している
【０２２４】
　
ここで、再び図１３を参照して、カットインフレーム１７４の表示色と大当たりとなる期待度との関係を説明する。図１３に示す通り、カットイン１５５による予告演出では、カットインフレーム１７４の表示色が白である場合に、期待度としてランク「１」を示す。カットインフレーム１７４の表示色が青の場合に、期待度としてランク「２」を示す。カットインフレーム１７４の表示色が赤の場合に、期待度としてランク「３」を示す。カットインフレーム１７４の表示色がトラ柄の場合に、期待度としてランク「４」を示す。そして、カットインフレーム１７４の表示色が虹色（レインボー）の場合に、期待度としてランク「５」（つまり、１００％大当たり）を示す。
（オ）「【図８】
」
（カ）「【図９】（ａ）
」
（キ）「【図１０】
」
（ク）「【図１２】
」
（ケ）「【図１３】
」
（コ）　上記（エ）の【０１７３】に、「スーパーリーチＡによる変動演出」「では、図８に示した通り、まず、高速変動中に予告演出としてコメント表示１５１を行う。このコメント表示１５１は、遊技者による枠ボタン２２の操作指示があったこと（即ち、枠ボタンがＯＮ操作されたこと）をトリガとして第３図柄表示装置８１の演出表示領域Ｄｂに表示される。」と記載されていることから、スーパーリーチＡによる変動演出において実行される、
コメント表示１５１の予告演出は
枠ボタン２２により遊技者の動作が検出されたことに基づいて実行可能なもの
（サ）上記（エ）の【０１９１】に、「スーパーリーチＡによる変動演出では、発展画像を表示中にも予告演出を行う。具体的には、発展画像を表示中にスーパーリーチの種類を選択するスーパーリーチ選択１５３による予告演出が行われる。このスーパーリーチ選択１５３では、発展画像に続いて表示されるスーパーリーチ変動の種別（リーチ種）を、遊技者が枠ボタン２２を操作したタイミングに応じて５つのリーチ種の中から選択する演出であり、選択されたリーチ種によって、大当たりとなる期待度を示す。」と記載されていることから、スーパーリーチＡによる変動演出において実行される、
スーパーリーチ選択１５３の予告演出は
枠ボタン２２により遊技者の動作が検出されたことに基づいて実行可能なもの
（シ）上記（エ）の【０２１８】に、「スーパーリーチＡによる変動演出では、スーパーリーチ変動中に、予告演出として更にカットイン１５５を行う。このカットイン１５５は、遊技者による枠ボタン２２の操作指示があったこと（即ち、枠ボタンがＯＮ操作されたこと）をトリガとして第３図柄表示装置８１の演出表示領域Ｄｂに表示される。」と記載されていることから、スーパーリーチＡによる変動演出において実行される、
カットイン１５５の予告演出は
枠ボタン２２により遊技者の動作が検出されたことに基づいて実行可能なもの
（ス）上記（オ）（【図８】）の図示内容より、スーパーリーチＡによる変動演出中に実行される
複数の予告演出は、それぞれ異なるタイミングで実行されるとともに、コメント表示１５１、スーパーリーチ選択１５３、カットイン１５５の順番で実行され
（セ）上記（カ）ないし（ク）（【図９】（ａ）、【図１０】、【図１２】）の図示内容より、コメント表示１５１、スーパーリーチ選択１５３、カットイン１５５の予告演出では、それぞれ態様が異なる演出が実行されることが看取できる。ここで、上記（ス）の記載事項と併せて考えると、
コメント表示１５１、スーパーリーチ選択１５３、カットイン１５５の予告演出が実行されるタイミングに応じて、実行可能な演出の態様が異なる
（ソ）上記（カ）ないし（ク）（【図９】（ａ）、【図１０】、【図１２】）の図示内容より、コメント表示１５１、スーパーリーチ選択１５３、カットイン１５５の予告演出では、いずれもキャラクタ画像を用いた演出が実行されることが看取できる。ここで、上記（セ）の記載事項と併せて考えると、
コメント表示１５１、スーパーリーチ選択１５３、カットイン１５５の予告演出のうち、どの演出が実行されるタイミングであるかにかかわらず、キャラクタ画像を用いた演出を実行可能である
（タ）上記（エ）の【０１８３】、【０１９６】及び【０２２４】の記載事項と、上記（オ）（【図８】）の図示内容とから、スーパーリーチＡによる変動演出中に実行される、コメント表示１５１、スーパーリーチ選択１５３、カットイン１５５の予告演出では、いずれも、期待度に関する演出が実行されることが認められる。また、上記（オ）（【図８】）の図示内容より、スーパーリーチＡによる変動演出中に実行される、コメント表示１５１、スーパーリーチ選択１５３、カットイン１５５の予告演出が、それぞれ異なるタイミングで実行されることも看取できる。そうすると、
コメント表示１５１、スーパーリーチ選択１５３、カットイン１５５の予告演出のうち、どの演出が実行されるタイミングであるかにかかわらず、期待度に関する演出を実行可能である
（チ）上記（ス）の記載事項から、
異なるタイミングで実行される複数の予告演出のうち最も遅い特定タイミングに実行される予告演出は、カットイン１５５の予告演出である
（ツ）上記（エ）の【０２２３】には、「カットイン１５５による予告演出では、このカットインフレーム１７４の表示色で大当たりとなる期待度を表している」と記載され、上記（エ）の【０２２４】には、「カットイン１５５による予告演出では、カットインフレーム１７４の表示色が白である場合に、期待度としてランク「１」を示す。カットインフレーム１７４の表示色が青の場合に、期待度としてランク「２」を示す。カットインフレーム１７４の表示色が赤の場合に、期待度としてランク「３」を示す。カットインフレーム１７４の表示色がトラ柄の場合に、期待度としてランク「４」を示す。そして、カットインフレーム１７４の表示色が虹色（レインボー）の場合に、期待度としてランク「５」（つまり、１００％大当たり）を示す。」と記載されていることから、
カットイン１５５の予告演出が実行される場合には、カットインフレーム１７４の表示色によって、期待度、すなわち、有利状態に制御される割合が異なる
（テ）上記（エ）の【０１７９】、【０１９６】及び【０２２２】等に記載のように、興趣の向上を目的とすることは明らかである。
（ト）上記（ア）ないし（テ）の記載内容からみて、引用文献２には、以下の技術事項（以下、「引用文献２記載事項」という。）が記載されていると認められる。
［引用文献２記載事項］
「２ａ　パチンコ遊技機１０において（【００１５】）、
　２ｄ　遊技者による操作指示（例えば、押下指示）を受け付ける枠ボタン２２を備え（【００２１】）、
　２ｅ　コメント表示１５１、スーパーリーチ選択１５３、カットイン１５５の予告演出は、枠ボタン２２により遊技者の動作が検出されたことに基づいて実行可能なもの（上記（コ）ないし（サ））であって、それらの複数の予告演出は、それぞれ異なるタイミングで実行されるとともに、コメント表示１５１、スーパーリーチ選択１５３、カットイン１５５の順番で実行され（上記（ス））、
　２ｇ　コメント表示１５１、スーパーリーチ選択１５３、カットイン１５５の予告演出が実行されるタイミングに応じて、実行可能な演出の態様が異なる（上記（セ））とともに、コメント表示１５１、スーパーリーチ選択１５３、カットイン１５５の予告演出のうち、どの演出が実行されるタイミングであるかにかかわらず、キャラクタ画像を用いた演出や期待度に関する演出を実行可能であり（上記（ト）及び（タ））、
　２ｈ　異なるタイミングで実行される複数の予告演出のうち最も遅い特定タイミングに実行される予告演出は、カットイン１５５の予告演出であり（上記（チ））、
　カットイン１５５の予告演出が実行される場合には、カットインフレーム１７４の表示色によって、期待度、すなわち、有利状態に制御される割合が異なる（上記（ツ））
　２ａ　パチンコ遊技機１０（【００１５】）。」
　ウ　引用文献３の記載について
　本願の出願前に頒布され又は電気通信回線を通じて公衆に利用可能となった特開２０１４−２３３３５６号公報（平成２６年１２月１５日出願公開、以下、「引用文献３」という。）には、「遊技機」の発明に関し、図面と共に次の事項が記載されている（下線は当審で付した）。 
（ア）「【技術分野】
【０００１】
　本発明は、遊技機に関する。詳しくは、遊技者が操作可能な操作手段と、前記操作手段の操作が有効となる操作有効期間の内に該操作手段が操作されたことに基づいて、所定の操作時演出を実行する操作時演出実行手段と、前記遊技者が前記操作有効期間を認識可能な操作有効報知を実行する操作有効報知実行手段とを有する遊技機に関する。」
（イ）「【発明を実施するための形態】
【００２５】
［遊技機の構成］
　以下、本発明の実施の形態を、図面を参照して説明する。まず、遊技機の一例である
パチンコ遊技機１
（ウ）「【０４０９】
　本実施形態では、上記の「ボタン予告演出」、「連打予告演出Ａ」、及び「連打予告演出Ｂ」、並びに後述する「役物作動演出」を実行するときには、ボタン操作示唆表示やボタン連打示唆表示が表示される。この際に、演出表示装置９には、「ＰＵＳＨ！」や「連打せよ！」などの文字列とともにプッシュボタン１２０の形状を模した絵柄を含む表示が表示される。図６１に示すように、これらの文字列や絵柄を含む表示を行うときに、大当りに対する期待度（信頼度）に応じて、文字列や絵柄の色を異ならせるようにする。図６１に示す例では、可変表示結果が大当りとなるときには、文字列や絵柄の色が６０％の確率で赤、３０％の確率で青、１０％の確率で白となるように乱数の割り振りを行い。可変表示結果がはずれとなるときには、文字列や絵柄の色が１０％の確率で赤、２０％の確率で青、７０％の確率で白となるように乱数の割り振りを行う。このような割り振りを行うことで、表示された文字列や絵柄の色が白、青、赤の順に大当り遊技状態が発生する可能性が高くなる。このように、表示色によって大当りが発生する可能性を示唆することができる。遊技者は表示される文字列や絵柄の色にも興味を持つようになり、これにより
遊技に対する興趣が向上する
（エ）「【０４６３】
　図５６（１）に示すように、合算保留記憶表示部１８ｃにボタン保留表示２００（第１ボタン保留表示または第２ボタン保留表示）を表示して「保留球変化」の態様の先読み予告演出を開始（ステップＳ６０１２，Ｓ６０１３参照）した後の変動表示において、ボタン予告演出を実行することに決定され、そのボタン予告演出の実行タイミングとなった場合には、操作無効フラグがセットされて先読み予告演出における操作が無効化される（ステップＳ８１０８ｅ参照）。次いで、所定の待機期間（例えば、２秒）経過（ステップＳ８１０８ｆ参照）してからボタン操作示唆表示を表示してボタン予告演出が開始され（ステップＳ８１１１，Ｓ８１１２参照）、図５６（２）に示すように、演出表示装置９においてボタン保留表示２００とボタン操作示唆表示２０１とが同時に表示された状態となる。具体的には、図５６（２）に示すように、ボタン保留表示２００として、プッシュボタン１２０の形状を模した態様の保留表示が表示されるとともに、ボタン操作示唆表示２０１として、「ＰＵＳＨ！」などの文字列とともにプッシュボタン１２０の形状を模した絵柄を含む表示が表示される。また、ボタン操作示唆表示２０１の表示期間（遊技者が「プッシュボタン１２０の操作が有効である」と認識する期間）を示すメータ２０２が、ボタン操作示唆表示２０１の下方に表示される。
【０４６４】
　次いで、先読み予告演出とボタン予告演出とが並行して実行されている間に、
プッシュボタン１２０による押圧操作が検出されると
ボタン操作示唆表示２０１が
「チャンス」などの文字列を含む表示に変更され
【０４６５】
　次いで、実際のボタン予告演出の操作の有効期間（例えば、６秒）が終了し（ステップＳ８１２４ａ参照）、さらに所定の待機期間（例えば、２秒）が経過すると（ステップＳ８１２４ｂ参照）、操作無効フラグがリセットされて先読み予告演出における操作が再び有効化される（ステップＳ８１２４ｃ参照）。
【０４６６】
　
その後、プッシュボタン１２０による押圧操作が検出されると
ボタン保留表示２００が
「熱」などの文字を含む丸形表示に変更され
（オ）上記（ウ）の記載事項から、「プッシュボタン１２０」が、遊技者の動作を検出可能なものであって、「「ＰＵＳＨ！」や「連打せよ！」などの文字列とともにプッシュボタン１２０の形状を模した絵柄を含む表示」が、遊技者の動作を促す促進態様であることは明らかである。さらに、「これらの文字列や絵柄を含む表示を行うときに、大当りに対する期待度（信頼度）に応じて、文字列や絵柄の色を異ならせるようにする」ことから、
遊技者の動作を促す促進態様に応じて、有利状態に制御される割合が異なる
（カ）上記（オ）で説示した「遊技者の動作を促す促進態様に応じて、有利状態に制御される割合が異なる」ことは、上記（ウ）の【０４０９】等の記載に鑑みれば、興趣の向上を目的とすることは明らかである。
（キ）上記（ア）ないし（カ）の記載内容からみて、引用文献３には、以下の技術事項（以下、「引用文献３記載事項」という。）が記載されていると認められる。
［引用文献３記載事項］
「３ａ　パチンコ遊技機１において（【００２５】）、
　３ｅ　プッシュボタン１２０による押圧操作が検出されると、ボタン操作示唆表示２０１が「チャンス」などの文字列を含む表示に変更され（【０４６４】）、その後、プッシュボタン１２０による押圧操作が検出されると、ボタン保留表示２００が「熱」などの文字を含む丸形表示に変更され（【０４６６】）、
　３ｈ　遊技者の動作を促す促進態様に応じて、有利状態に制御される割合が異なる（上記（オ））、
　３ａ　パチンコ遊技機１（【００２５】）。」
　エ　引用文献４の記載について
　本願の出願前に頒布され又は電気通信回線を通じて公衆に利用可能となった特開２０１５−３３５０３号公報（平成２７年２月１９日出願公開、以下、「引用文献４」という。）には、「遊技機」の発明に関し、図面と共に次の事項が記載されている（下線は当審で付した）。 
（ア）「【技術分野】
【０００１】
　本発明は、種々の図柄を変動表示する表示手段を備えた遊技機に関する。」
（イ）「【００３３】
　［実施例１］
　次に、図１を参照して、実施例１の
パチンコ遊技機１
（ウ）「【０２７４】
　演出ボタンマークの表示態様は、どのようなものであってもよい。例えば、大当り期待度や演出の内容により、演出ボタンマークを大きく表示したり、色彩を変化させてもよい。なお、演出ボタンの連打や長押しの場合には、演出ボタンマークの表示態様を変化させたり、「連打せよ！」等の文字を併せて表示させるようにしてもよい。」
（エ）上記（ウ）の記載事項より、「演出ボタン」が、遊技者の動作を検出可能なものであって、「演出ボタンマークの表示態様」や「「連打せよ！」等の文字」が、遊技者の動作を促す促進態様であることは明らかである。さらに、「大当り期待度や演出の内容により、演出ボタンマークを大きく表示したり、色彩を変化させてもよい」ことから、
遊技者の動作を促す促進態様に応じて、有利状態に制御される割合が異なる
（オ）上記（エ）で説示した「遊技者の動作を促す促進態様に応じて、有利状態に制御される割合が異なる」ことが、遊技者の興趣を向上させるものであることは当業者にとって自明である。
（カ）上記（ア）ないし（オ）の記載内容からみて、引用文献４には、以下の技術事項（以下、「引用文献４記載事項」という。）が記載されていると認められる。
［引用文献４記載事項］
「４ａ　パチンコ遊技機１において（【００３３】）、
　４ｈ　遊技者の動作を促す促進態様に応じて、有利状態に制御される割合が異なる（上記（エ））、
　４ａ　パチンコ遊技機１（【００３３】）。」
　オ　引用文献５の記載について
　本願の出願前に頒布され又は電気通信回線を通じて公衆に利用可能となった特開２０１４−２００６９４号公報（平成２６年１０月２７日出願公開、以下、「引用文献５」という。）には、「遊技機」の発明に関し、図面と共に次の事項が記載されている（下線は当審で付した）。 
（ア）「【技術分野】
【０００１】
　本発明は、弾球遊技機（パチンコ機）や回胴遊技機（スロットマシン）に代表される遊技台に関する。」
（イ）「【発明を実施するための形態】
【０００９】
　以下、図面を用いて、本発明を適用することができる遊技台（例えば、
パチンコ機１００
（ウ）「【０８３９】
　図９３（ｂ）では、この操作要求表示のうち、演出ボタン１３６の絵柄７０１が拡大表示されている。ここでは、当りの信頼度（期待度）に応じて、絵柄７０１の大きさが変化する。すなわち、当りの信頼度が高いほど、絵柄７０１の大きさは大きくなる。図９３（ｂ）に示す拡大された絵柄７０１は、一部が透化表示になっており、例えば、主人公の顔の一部が奥側に見える。一方、その他の部分は、不透化表示になっており、例えば、敵役の顔の部分や、左側のエラーメッセージ（第一の表示）の一部は見えない。すなわち、エラーメッセージ（第一の表示）は視認困難になっている。」
（エ）上記（ウ）の記載事項より、「演出ボタン１３６」が、遊技者の動作を検出可能なものであって、「演出ボタン１３６の絵柄７０１」が、遊技者の動作を促す促進態様であることは明らかである。さらに、「当りの信頼度（期待度）に応じて、絵柄７０１の大きさが変化する」ことから、
遊技者の動作を促す促進態様に応じて、有利状態に制御される割合が異なる
（オ）上記（エ）で説示した「遊技者の動作を促す促進態様に応じて、有利状態に制御される割合が異なる」ことが、遊技者の興趣を向上させるものであることは当業者にとって自明である。
（カ）上記（ア）ないし（オ）の記載内容からみて、引用文献５には、以下の技術事項（以下、「引用文献５記載事項」という。）が記載されていると認められる。
［引用文献５記載事項］
「５ａ　パチンコ機１００において（【０００９】）、
　５ｈ　遊技者の動作を促す促進態様に応じて、有利状態に制御される割合が異なる（上記（エ））、
　５ａ　パチンコ機１００（【０００９】）。」
　カ　引用文献６の記載について
　本願の出願前に頒布され又は電気通信回線を通じて公衆に利用可能となった特開２００１−６８１号公報（平成１３年１月９日出願公開、以下、「引用文献６」という。）には、「遊技機」の発明に関し、図面と共に次の事項が記載されている（下線は当審で付した）。 
（ア）「【０００１】
【発明の属する技術分野】本発明は、パチンコ遊技機やコイン遊技機等の遊技機に関し、特に、表示状態が変化可能な可変表示装置を含み、可変表示装置における表示結果があらかじめ定められた特定の表示態様となった場合に所定の遊技価値が付与可能となる遊技機に関する。」
（イ）「【００１８】
【発明の実施の形態】以下、本発明の一実施形態を図面を参照して説明する。まず、遊技機の一例であるパチンコ遊技機の全体の構成について説明する。図１は
パチンコ遊技機１
（ウ）「【０１３３】上記の実施の形態では、確変状態は次に大当りが生ずるまで継続したが、他の確変終了条件を用いる遊技機にも本発明を適用することができる。例えば、
確変状態に入ってから可変表示部９における図柄の可変表示が所定回行われたら確変状態を終了する
【０１３４】図３５は、そのような遊技機における主基板３１のＣＰＵ５６が実行する特別図柄プロセス（図１１参照）における全図柄停止待ち処理（ステップＳ３０５）を示すフローチャートである。
【０１３５】この実施の形態では、
確変図柄で大当りが生ずると、大当り遊技終了後に確変状態になる
確変状態は、以後５０回の図柄変動が行われるまで継続する
　・・・略・・・
【０１３８】ステップＳ３０５ｇの判断において、
５０になっていたことを確認した場合には、ＣＰＵ５６は、表示制御基板８０に対して「確変終了」の表示制御コマンドを送出するための制御を行う
その後
　・・・略・・・
【０１４０】図３６は、この実施の形態での特別図柄プロセス処理における大当り終了処理（ステップＳ３０９）を示すフローチャートである。ステップＳ３０９では、ＣＰＵ５６は、
確変図柄で大当りしたか否か確認する
　・・・略・・・
【０１４１】なお、特別図柄プロセス処理におけるその他の処理は、上記の実施の形態の場合と同じである。また、表示制御用ＣＰＵ１０１の動作も、上記の実施の形態の場合と同じである。従って、
表示制御基板８０の表示制御用ＣＰＵ１０１は、「確変終了」を示す表示制御コマンドを受信すると、可変表示部９において、その旨を遊技者に報知するための表示を行う
　・・・略・・・
【０１４５】また、上記の各実施の形態では、特別遊技状態として、大当り（特定遊技状態）を生じさせる確率が高くなっている確変状態を例にとったが、特別遊技状態が可変表示部９における図柄の変動時間が短縮される
時短状態であっても
適用することができる
（エ）「【図３５】
」
（オ）上記（ウ）の記載事項から、「確変状態に入ってから可変表示部９における図柄の可変表示が所定回行われたら確変状態を終了する遊技機において」、「確変図柄で大当りが生ずると、大当り遊技終了後に確変状態にな」って、「確変状態は、以後５０回の図柄変動が行われるまで継続」し、「５０になっていたことを確認した場合には、ＣＰＵ５６は、表示制御基板８０に対して「確変終了」の表示制御コマンドを送出するための制御を行う」と共に、「表示制御基板８０の表示制御用ＣＰＵ１０１は、「確変終了」を示す表示制御コマンドを受信すると、可変表示部９において、その旨を遊技者に報知するための表示を行」い、「その後に」、「確変図柄で大当りしたか否か確認する」態様の記載が認められる。
　ここで、当該「確変終了」の表示は、確変状態中に大当りになったか外れになったかに関係なく表示される共通の結果報知であることは明らかであって、さらに、所定回の可変表示が終了する際のある特定の期間において実行されるものであることも明らかである。また、そのような態様は、「時短状態であっても」「適用することができる」ものであるところ、確変状態と時短状態とは、いずれも、遊技者にとって有利な有利状態であることも当業者にとって自明である。
　そうすると、引用文献６には、
遊技者にとって有利な有利状態中に大当りになったか外れになったかに関わらず、前記有利状態の特定回数の可変表示が終了する際の特定期間において共通の結果報知を実行する
（カ）上記（ア）ないし（オ）の記載内容からみて、引用文献６には、以下の技術事項（以下、「引用文献６記載事項」という。）が記載されていると認められる。
［引用文献６記載事項］
「６ａ　パチンコ遊技機１において（【００１８】）、
　６ｆ　遊技者にとって有利な有利状態中に大当りになったか外れになったかに関わらず、前記有利状態の特定回数の可変表示が終了する際の特定期間において共通の結果報知を実行する（上記（オ））
　６ａ　パチンコ遊技機１（【００１８】）。」
　キ　引用文献７の記載について
　本願の出願前に頒布され又は電気通信回線を通じて公衆に利用可能となった特開２００９−２９７５７２号公報（平成２１年１２月２４日出願公開、以下、「引用文献７」という。）には、「遊技機」の発明に関し、図面と共に次の事項が記載されている（下線は当審で付した）。 
（ア）「【技術分野】
【０００１】
　本発明は、普通図柄表示部に停止表示される普通図柄が、所定の表示パターンとなった場合に、普通電動役物を開放する一方、特別図柄表示部に停止表示される特別図柄が、所定の表示パターンとなった場合に、変動入賞装置を開放することが可能な遊技機に関する。」
（イ）「【発明を実施するための形態】
【００１２】
　以下、本発明の実施の形態を図面を参照しつつ説明する。なお、先ず通常の
パチンコ機
（ウ）「【００４３】
　次に、本発明の主要部について説明する。この遊技機にあっては、先に説明した各特典は、所定の当り図柄の選択によって同時に付与開始させるが、その終了条件は異なるように設定されている。図５は、その一例である。図５に示す例によれば、確率変動機能に対しては次の大当り到来が終了条件になる。同様に、
特別図柄時間短縮機能および普通図柄時間短縮機能の夫々に対しては、特別図柄が３０回変動表示することが終了条件として設定され
普通役物開放時間延長機能に対しては普通電動役物が１００回開放することが終了条件として設定されて
　・・・略・・・
【００５５】
　先ず、図９のステップＳ９００において、主制御部２００は、確率変動機能が終了となるか否かを判定し、終了となる場合（Ｙｅｓ）にはステップＳ９０２に移行し、一方、これ以外の場合（Ｎｏ）にはステップＳ９０４に移行する。ステップＳ９０２において、主制御部２００は、確率変動機能が終了したことを示すメッセージ、例えば「確率変動終了！」なるメッセージを特別図柄表示装置１０４に表示させる。
【００５６】
　次に、ステップＳ９０４において、主制御部２００は、特別図柄時間短縮機能および普通図柄時間短縮機能が終了となるか否かを判定し、終了となる場合（Ｙｅｓ）にはステップＳ９０６に移行し、一方、これ以外の場合（Ｎｏ）にはステップＳ９０８に移行する。ステップＳ９０６において、主制御部２００は、
両図柄時間短縮機能が終了したことを示すメッセージ、例えば「普通図柄時間短縮機能終了！」
「特別図柄時間短縮機能終了！」なる
メッセージを
表示させる
【００５７】
　なお、特別図柄時間短縮機能および普通図柄時間短縮機能の終了タイミングが異なるように終了条件が設定されている場合には、主制御部２００は、両特典の終了タイミングの夫々の時点において特典終了メッセージを特別図柄表示装置１０４に表示させる。
【００５８】
　ステップＳ９０８において、主制御部２００は、普通役物開放時間延長機能が終了となるか否かを判定し、終了となる場合（Ｙｅｓ）にはステップＳ９１０に移行し、一方、これ以外の場合（Ｎｏ）には処理を終了する。ステップＳ９１０において、主制御部２００は、
普通役物開放時間延長機能が終了したことを示すメッセージ、例えば「普通電動役物開放期間延長終了！」なるメッセージを
表示させる
（エ）「【図９】
」
（オ）上記（ウ）の記載内容から、「特別図柄時間短縮機能および普通図柄時間短縮機能の夫々に対しては、特別図柄が３０回変動表示することが終了条件として設定され」、「普通役物開放時間延長機能に対しては普通電動役物が１００回開放することが終了条件として設定されて」いることが認められる。ここで、それら機能が有効となっている状態は、遊技者にとって有利な有利状態であることは明らかであって、さらに、それら機能の終了条件は、当該有利状態中に大当たりになったか外れになったかに関係ないことも明らかである。
　また、上記（ウ）の記載内容と上記（エ）（【図９】）の図示内容から、上記終了条件が成立したこと、すなわち、遊技者にとって有利な有利状態が終了したことに対応して、その終了を示すメッセージ、例えば、「普通図柄時間短縮機能終了！」、「特別図柄時間短縮機能終了！」、「普通電動役物開放期間延長終了！」なるメッセージを表示させることが認められる。ここで、当該表示が、所定回の変動表示が終了する際のある特定の期間において実行されるものであることは明らかである。
　そうすると、引用文献７には、
遊技者にとって有利な有利状態中に大当りになったか外れになったかに関わらず、前記有利状態の特定回数の可変表示が終了する際の特定期間において共通の結果報知を実行する
（カ）上記（ア）ないし（オ）の記載内容からみて、引用文献７には、以下の技術事項（以下、「引用文献７記載事項」という。）が記載されていると認められる。
［引用文献７記載事項］
「７ａ　パチンコ機において（【００１２】）、
　７ｆ　遊技者にとって有利な有利状態中に大当りになったか外れになったかに関わらず、前記有利状態の特定回数の可変表示が終了する際の特定期間において共通の結果報知を実行する（上記（オ））、
　７ａ　パチンコ機（【００１２】）。」
　ク　周知技術１について
　引用文献３記載事項の構成３ｈ、引用文献４記載事項の構成４ｈ、及び引用文献５記載事項の構成５ｈから、遊技機の技術分野において、興趣の向上を図るために、遊技者の動作を促す促進態様に応じて、有利状態に制御される割合を異ならせることは、本願の出願前に周知（以下、「周知技術１」という。）であるといえる。
　ケ　周知技術２について
　引用文献６記載事項の構成６ｆ及び引用文献７記載事項の構成７ｆから、遊技機の技術分野において、遊技者にとって有利な有利状態中に大当りになったか外れになったかに関わらず、前記有利状態の特定回数の可変表示が終了する際の特定期間において共通の結果報知を実行することは、本願の出願前に周知（以下、「周知技術２」という。）であるといえる。
（３）対比及び判断 
　ア　本願補正発明と引用発明を対比する。なお、以下の見出し（ａ）ないし（ｆ）は、本願補正発明のＡないしＦに対応させている。 
  
（ａ）引用発明において、「賞球の払い出し」は、上記「（２）ア（ア）」で示した【０００３】に、「入賞価値とは、入賞領域への遊技球の入賞に応じて賞球を払い出したり得点や景品を付与したりすること」と記載されているように、本願補正発明の「価値」の「付与」に相当する。
　そうすると、引用発明の「パチンコ遊技機１」は、可変表示を行い、遊技者に賞球の払出し（「価値」の「付与」）を可能とするものであるから、本願補正発明の「遊技機」に相当する。
　したがって、引用発明の構成ａは、本願補正発明の構成Ａに相当する。
（ｂ）引用発明の「確変状態」は、遊技者にとって有利な状態のことを意味するから、本願補正発明の「有利状態」に相当する。そして、引用発明において、特別回数目（７０回目）の変動表示となるまで、確変状態（「有利状態」）に制御されるといえるから、その「７０回」の「特別回数」は本願補正発明の「特定回数」に相当するといえる。
　そうすると、引用発明の「遊技制御用マイクロコンピュータ５６０」は、可変表示の実行回数が特別回数（「特定回数」）となるまで、遊技者にとって有利な確変状態（「有利状態」）に制御可能なものであるから、本願補正発明の「制御手段」に相当する機能を備えているといえる。
　したがって、引用発明の構成ｂは、本願補正発明の構成Ｂに相当する。
（ｃ）上記（ｂ）で示したように、引用発明における「確変状態」は、本願補正発明の「有利状態」に相当する。
　そして、引用発明において、確変終了報知画面として、大当り連荘数と獲得出玉とを表示するところ、その「大当り連荘数と獲得出玉」は本願補正発明の「遊技者に付与された価値」に相当し、さらに、その大当り連荘数と獲得出玉（「遊技者に付与された価値」）に関する確変終了報知画面の表示は、本願補正発明の「結果報知」に相当する。
　そうすると、引用発明の「演出制御用マイクロコンピュータ１００」は、確変状態等の特別遊技状態（「有利状態」）の終了に対応して、大当り連荘数と獲得出玉（「遊技者に付与された価値」）に関する確変終了報知画面の表示（「結果報知」）を実行可能なものであるから、本願補正発明の「報知手段」に相当する機能を備えているといえる。
　したがって、引用発明の構成ｃは、本願補正発明の構成Ｃに相当する。 
  
（ｄ）引用発明の「スティックコントローラ１２２」、「トリガボタン１２１」及び「プッシュボタン１２０」は、いずれも、遊技者の動作を検出可能なものであるから、それらのいずれかが、本願補正発明の「検出手段」に相当するといえる。
　したがって、引用発明の構成ｄは、本願補正発明の構成Ｄに相当する。 
（ｅ）上記（ｄ）で説示したように、引用発明の「スティックコントローラ１２２」、「トリガボタン１２１」及び「プッシュボタン１２０」のいずれかが、本願補正発明の「検出手段」に相当する。
　そして、引用発明の「演出制御用マイクロコンピュータ１００」は、演出制御用ＣＰＵ１０１により、スティックコントローラ１２２、トリガボタン１２１及びプッシュボタン１２０（「検出手段」）のいずれかに対する遊技者の操作行為を検出したことを示す情報信号としての操作検出信号を演出制御基板８０に入力するものであるから、スティックコントローラ１２２、トリガボタン１２１及びプッシュボタン１２０（「検出手段」）のいずれかにより遊技者の動作を検出するものであることは明らかである。
　また、引用発明の「演出制御用マイクロコンピュータ１００」は、演出制御用ＣＰＵ１０１により、演出制御コマンドを受信すると、演出表示装置９やランプの表示状態を変更したり、音声出力基板７０に対して音番号データを出力したりするものであるから、所定演出を実行可能なものであるといえる。
　そうすると、引用発明の「演出制御用マイクロコンピュータ１００」は、スティックコントローラ１２２、トリガボタン１２１及びプッシュボタン１２０（「検出手段」）のいずれかにより遊技者の動作を検出され、所定演出を実行可能な機能を備えているといえる。
　したがって、本願補正発明の構成Ｅと引用発明の構成ｅとは、「Ｅ’前記検出手段により遊技者の動作が検出され、所定演出を実行可能な演出実行手段とを備え」る点で共通する。
（ｆ）上記（ｂ）及び（ｃ）で説示したとおり、引用発明の「特別回数」、「確変終了報知画面の表示」は、それぞれ順に、本願補正発明の「特定回数」、「結果報知」に相当する。
　そして、引用発明において、確変終了報知画面の表示（「結果報知」）は、表示結果が「はずれ」である場合に、特別回数（「特定回数」）目の変動表示で、はずれ図柄が停止表示された後に実行されるものであるから、特別回数（「特定回数」）の可変表示が終了する際の期間において実行されるものということができる。ここで、その「期間」は本願補正発明の「特定期間」に相当するといえる。
　一方で、引用発明において、確変終了報知画面の表示（「結果報知」）は、表示結果が「当り」である場合に、特別回数（「特定回数」）目の変動表示で、はずれ図柄が仮停止表示されたときに実行されるものでもある。
　そうすると、本願補正発明の構成Ｆと引用発明の構成ｆとは、「Ｆ’表示結果が「はずれ」である場合に、前記特定回数の可変表示が終了する際の特定期間において、前記結果報知を実行する」点で共通する。
　イ　上記アからみて、本願補正発明と引用発明とは、 
「Ａ　可変表示を行い、遊技者に価値を付与可能な遊技機であって、
　Ｂ　可変表示の実行回数が特定回数となるまで、遊技者にとって有利な有利状態に制御可能な制御手段と、
　Ｃ　前記有利状態の終了に対応して、遊技者に付与された価値に関する結果報知を実行可能な報知手段と、
　Ｄ　遊技者の動作を検出可能な検出手段と、
　Ｅ’前記検出手段により遊技者の動作が検出され、所定演出を実行可能な演出実行手段とを備え
　Ｆ’表示結果が「はずれ」である場合に、前記特定回数の可変表示が終了する際の特定期間において、前記結果報知を実行する、
　Ａ　遊技機。」である点で一致し、以下の点で相違する。 
［相違点１］（構成Ｅ）
　「演出実行手段」に関し、
　本願補正発明では、「複数のタイミングのうちいずれかのタイミングにおいて前記検出手段により遊技者の動作が検出されたことに基づいて、所定演出を実行可能な演出実行手段とを備え」るのに対して、
　引用発明では、スティックコントローラ１２２、トリガボタン１２１及びプッシュボタン１２０（「検出手段」）のいずれかにより遊技者の動作が検出され、所定演出を実行可能な演出制御用マイクロコンピュータ１００を備えるものの、
　スティックコントローラ１２２、トリガボタン１２１及びプッシュボタン１２０（「検出手段」）のいずれかにより遊技者の動作が検出されるタイミングとして、複数のタイミングがあり、それらの検出に基づいて所定演出を実行可能であることについて特定がない点。
［相違点２］（構成Ｆ）
　「所定演出」に関し、
　本願補正発明では、「前記特定回数の可変表示が終了する際の特定期間において、前記結果報知を実行」するのに対し、
　引用発明では、確変終了報知画面の表示（「結果報知」）を、表示結果が「はずれ」である場合には、特別回数（「特定回数」）の変動表示が終了する際の特定期間において実行するものの、表示結果が「当り」である場合には、特別回数（「特定回数」）の変動表示が仮停止表示した後に実行し、特別回数（「特定回数」）の変動表示が終了する際の特定期間において実行しないため、全体として、特別回数（「特定回数」）の変動表示が終了する際の特定期間において、確変終了報知画面の表示（「結果報知」）を実行する、とはいえない点。
［相違点３］（構成Ｇ、Ｈ）
　「所定演出」に関し、
　本願補正発明では、「所定演出が実行されるタイミングに応じて、実行可能な所定演出の態様が異なるとともに、所定演出が実行されるタイミングにかかわらず、１の所定演出を実行可能であり、
　前記複数のタイミングのうち最も遅い特定タイミングに前記１の所定演出が実行される場合に、遊技者の動作を促す促進態様に応じて、前記有利状態に制御される割合が異なる」のに対し、
　引用発明では、そのような特定がない点。
（４）相違点の検討
　ア　上記相違点１及び３について
　上記相違点１及び３は、所定演出の実行に関し、関連する技術であるので、まとめて検討する。
（ア）上記相違点１について
　上記「（３）（ｅ）」で説示したように、引用発明の「演出制御用マイクロコンピュータ１００」は、スティックコントローラ１２２、トリガボタン１２１及びプッシュボタン１２０（「検出手段」）のいずれかに対する遊技者の操作行為を検出したことを示す操作検出信号を演出制御基板８０に入力するものであって、さらに、所定演出を実行可能なものである。
　ここで、遊技機の分野において、興趣の向上のために、遊技者の動作が検出されるタイミングとして、複数のタイミングを設け、かつ、それらの検出に基づいて所定演出を実行可能とすることは、例えば、引用文献２記載事項の構成２ｅや引用文献３記載事項の構成３ｅ等に示されているように、本願の出願前に周知、若しくは、慣用（以下、「周知・慣用技術」という。）されている。
　そうすると、引用発明において、興趣の向上のために、上記周知・慣用技術を適用して、本願補正発明の構成Ｅのようにすること、すなわち、スティックコントローラ１２２、トリガボタン１２１及びプッシュボタン１２０（「検出手段」）のいずれかにより遊技者の操作行為が検出されるタイミングを複数設けるとともに、それらの操作検出信号が演出制御基板８０に入力されたことに基づいて、所定の演出を実行可能なように構成することは、当業者が適宜なし得たことである。
（イ）上記相違点３について
　引用発明において、本願補正発明の構成Ｅを備えることが、当業者における設計的事項であることは、上記（ア）で説示したとおりである。ここでは、このことを前提として、さらに検討する。
　まず、本願補正発明と引用文献２記載事項とを対比する。
　引用文献２記載事項における構成２ａ、２ｄは、それぞれ順に、本願補正発明の構成Ａ、Ｄに相当することは明らかである。
　また、引用文献２記載事項における構成２ｇについて、「コメント表示１５１、スーパーリーチ選択１５３、カットイン１５５の予告演出」、「キャラクタ画像を用いた演出や期待度に関する演出」が、それぞれ順に、本願補正発明の「所定演出」、「１の所定演出」に相当するといえる。そうすると、引用文献２記載事項における構成２ｇは、コメント表示１５１、スーパーリーチ選択１５３、カットイン１５５の予告演出（「所定演出」）が実行されるタイミングに応じて、実行可能な演出の態様が異なるとともに、それらの予告演出（「所定演出」）のうち、どの演出が実行されるタイミングであるかにかかわらず、キャラクタ画像を用いた演出や期待度に関する演出（「１の所定演出」）を実行可能なものであるといえるから、本願補正発明の構成Ｇ（「所定演出が実行されるタイミングに応じて、実行可能な所定演出の態様が異なるとともに、所定演出が実行されるタイミングにかかわらず、１の所定演出を実行可能であ」ること）に相当する。
　さらに、引用文献２記載事項における構成２ｈは、カットイン１５５の予告演出においてもキャラクタ画像を用いた演出や期待度に関する演出（「１の所定演出」）が実行されることは明らかであることを考えるに、前記複数の予告演出のうち最も遅い特定タイミングに実行されるカットイン１５５の予告演出でキャラクタ画像を用いた演出や期待度に関する演出（「１の所定演出」）が実行される場合に、カットインフレーム１７４の表示色によって、期待度、すなわち、有利状態に制御される割合が異なるものであるといえる。そうすると、引用文献２記載事項における構成２ｈと本願補正発明の構成Ｈとは、「２Ｈ’前記複数のタイミングのうち最も遅い特定タイミングに前記１の所定演出が実行される場合に、前記有利状態に制御される割合が異なる」点で共通するものといえる。
　そうすると、引用文献２記載事項は、本願補正発明の
「２Ａ　遊技機において、
　２Ｄ　遊技者の動作を検出可能な検出手段を備え、
　２Ｇ　所定演出が実行されるタイミングに応じて、実行可能な所定演出の態様が異なるとともに、所定演出が実行されるタイミングにかかわらず、１の所定演出を実行可能であり、
　２Ｈ’前記複数のタイミングのうち最も遅い特定タイミングに前記１の所定演出が実行される場合に、前記有利状態に制御される割合が異なる」点を具備するものといえる。
（ウ）引用発明と引用文献２記載事項とは、いずれも、遊技機の分野において、ボタン等の遊技者の動作を検出可能な手段を備え、所定演出を実行可能であって、さらに、変動パターンとして、スーパーリーチはずれやスーパーリーチ当りを行う変動パターンを含む（引用発明について、上記「（２）ア（シ）」の記載内容を参照）点で共通するとともに、興趣の向上という共通の課題を有するものである。
　そうすると、引用発明において、スーパーリーチでの興趣を向上させるために、スーパーリーチ時の演出態様として、引用文献２記載事項を適用すること、すなわち、予告演出（「所定演出」）が実行されるタイミングに応じて、実行可能な予告演出（「所定演出」）の態様が異なるとともに、予告演出（「所定演出」）が実行されるタイミングにかかわらず、キャラクタ画像を用いた演出や期待度に関する演出（「１の所定演出」）を実行可能であり（構成２Ｇ）、前記複数のタイミングのうち最も遅い特定タイミングに前記キャラクタ画像を用いた演出や期待度に関する演出（「１の所定演出」）が実行される場合に、有利状態に制御される割合が異なるように構成すること（構成２Ｈ’）は、当業者にとって容易である。
　そして、その結果、それらの複数の予告演出のうち、最も遅い特定タイミングに実行される予告演出で前記キャラクタ画像を用いた演出や期待度に関する演出（「１の所定演出」）を実行するにあたり、カットインフレームの表示色に応じて、有利状態に制御される割合が異なるものとなるものの、上記「（２）ク」で説示したように、遊技機の技術分野において、遊技者の動作を促す促進態様に応じて、有利状態に制御される割合が異なるようにすることは、本願の出願前に周知（周知技術１）であって、興趣の向上を図るために、さらに当該周知技術１を適用して、前記カットインフレームの表示色による示唆に替えて、または、加えて、遊技者の動作を促す促進態様による示唆を用いることは、当業者における技術の具体的適用に伴う設計変更に過ぎない。
（エ）したがって、引用発明において、引用文献２記載事項、周知技術１及び周知・慣用技術を適用して、上記相違点１及び３に係る本願補正発明の構成とすることは、当業者が適宜なし得たことである。
　イ　上記相違点２について
　上記相違点２について検討する。
（ア）引用発明では、確変終了報知画面の表示（「結果報知」）を実行するタイミングが、表示結果が「はずれ」である場合には、特別回数（「特定回数」）の変動表示が終了する際の特定期間であり、本願補正発明と一致するものの、表示結果が「当り」である場合には、特別回数（「特定回数」）の変動表示が仮停止表示した後であり、本願補正発明と一致しない。すなわち、引用発明は、「はずれ」である場合と「当り」である場合とで、報知演出（「結果報知」）を実行するタイミングが異なるものであるため、全体として、特別回数（「特定回数」）の変動表示が終了する際の特定期間において、確変終了報知画面の表示（「結果報知」）を実行するものではない点で、本願補正発明と相違するといえる。
　しかしながら、上記「（２）ア（キ）」に示した【０３２９】には、「特定表示結果（大当り図柄）が導出表示されると決定されている場合には、所定条件を満たしたときにのみ報知演出が実行される（確変終了報知画面が表示される）ようにしてもよい。つまり、特別遊技状態（確変状態）中における特別回数目の識別情報の可変表示において、確変終了報知画面が表示されることなく（特殊確変終了報知演出が実行されることなく）大当り図柄が停止表示されてもよい。」と記載されており、これにより、表示結果が「当り」である場合に、仮停止後の確変終了報知画面の表示（「結果報知」）を省略可能であることが示唆されているといえる。
　そうすると、引用発明において、当該示唆に基づき、表示結果が「当り」である場合に、特別回数（「特定回数」）の変動表示が仮停止表示した後に、確変終了報知画面の表示（「結果報知」）を実行しないように構成し、「はずれ」である場合のみ実行するように構成することは、当業者が適宜なし得たことである。そして、その結果、全体として、特別回数（「特定回数」）の変動表示が終了する際の特定期間において、確変終了報知画面の表示（「結果報知」）を実行するものといえることは明らかである。
（イ）相違点２について更に検討する。
　引用発明では、特別回数（「特定回数」）の変動表示が終了する際の特定期間において、表示結果が「はずれ」である場合には、確変終了報知画面の表示（「結果報知」）を実行し、本願補正発明と一致するものの、表示結果が「当り」である場合には、確変終了報知画面の表示（「結果報知」）を実行せず、本願補正発明と一致しない。すなわち、引用発明は、「はずれ」である場合と「当り」である場合とで、特別回数（「特定回数」）の変動表示が終了する際の特定期間において、確変終了報知画面の表示（「結果報知」）を実行するか否かが異なるものであるため、全体として、特別回数（「特定回数」）の変動表示が終了する際の特定期間において報知演出（「結果報知」）を実行するものではない点で、本願補正発明と相違するといえる。
　ここで、上記「（２）ケ」で説示したように、遊技者にとって有利な有利状態中に大当りになったか外れになったかに関わらず、前記有利状態の特定回数の可変表示が終了する際の特定期間において共通の結果報知を実行することは、本願の出願前に周知（周知技術２）である。
　そして、引用発明と上記周知技術２とは、いずれも、遊技機の分野において、変動表示の結果に関わらず、「当り」と「はずれ」で共通した結果報知を実行するという共通の機能を有するものである。
　そうすると、引用発明において、上記周知技術２を適用して、特別回数（「特定回数」）の変動表示が終了する際の特定期間において、表示結果が「はずれ」である場合と同様に、表示結果が「当り」である場合にも、「当り」と「はずれ」で確変終了報知画面の表示（「結果報知」）を実行すること、すなわち、「当り」と「はずれ」の両方で共通した確変終了報知画面の表示（「結果報知」）を実行することは、当業者が適宜なし得たことである。そして、その結果、全体として、特別回数（「特定回数」）の変動表示が終了する際の特定期間において、確変終了報知画面の表示（「結果報知」）を実行するものといえることは明らかである。
（ウ）したがって、上記（ア）より、上記相違点２に係る本願補正発明の構成は、引用発明に基づき当業者が適宜なし得たものであり、また、上記（イ）より、引用発明において上記周知技術２を適用して、上記相違点２に係る本願補正発明の構成とすることは、当業者が適宜なし得たことである。
　ウ　効果について
　本願補正発明の奏する作用効果は、引用発明、引用文献２記載事項、周知技術１及び周知・慣用技術の奏する作用効果、または、引用発明、引用文献２記載事項、周知技術１ないし２及び周知・慣用技術の奏する作用効果から予測される範囲内のものにすぎず、格別顕著なものということはできない。
　エ　上記アないしウより、本願補正発明は、引用発明、引用文献２記載事項、周知技術１及び周知・慣用技術に基づいて、または、引用発明、引用文献２記載事項、周知技術１ないし２及び周知・慣用技術に基づいて、当業者が容易に発明することができたものである。
（５）請求人の主張について  
　ア　審判請求人は、令和１年５月１５日付け審判請求書において、概略以下のとおり主張している。
「  第３　本願発明が特許されるべき理由 
　・・・略・・・
４．　本願発明と引用発明との対比 
（１）　本願の請求項１に係る発明
　・・・略・・・
　こうした相違点については、引用文献１に記載された発明を引用文献２に記載された発明と組み合わせても、得られるものではありません。その他、引用文献１および引用文献２のいずれにも、本願の請求項１に記載された発明の特徴が得られるような動機付けとなる諸事情について、開示や示唆となり得る記載がなく、当業者が容易に想到し得るものではありません。
　以上により、当業者は、本願の請求項１に係る発明を認識しない客観的な観点から、引用文献に記載された発明に基づいて、本願の請求項１に係る発明の特徴が得られるように動機付けられるものではなく、本願の請求項１に係る発明と引用文献１や引用文献２に記載された発明との間の相違点は、進歩性が否定される方向に働く要素に係る諸事情を考慮したとしても、当業者が容易に想到する論理付けができるものではありません。」
　イ　しかしながら、令和１年５月１５日付け審判請求書における主張は、平成３１年２月１９日付け（送達日：同年２月２６日）でした平成３０年９月１１日付け手続補正の却下に対応するものであって、その主張において挙げられた引用文献２は、上記「３（２）イ」で説示した引用文献２とは異なる上に、上記「３（２）」で説示した他の引用文献、すなわち、引用文献１及び３ないし７のいずれとも異なるものであるから、採用することができない。
　ウ　そこで、上記「３（２）イ」で説示した引用文献２は、平成３０年９月１１日付け意見書に、引用文献２として記載されたものと同じなので、当該意見書での主張についても検討する。
　審判請求人は、平成３０年９月１１日付け意見書において、概略以下のとおり主張している
 
「第３　本願発明が特許されるべき理由
　・・・略・・・
４．　本願発明と引用文献に記載された発明との対比
（１）　本願の請求項１に係る発明
　本願の請求項１に係る発明において、演出実行手段は、複数のタイミングのうちいずれかのタイミングにおいて検出手段により遊技者の動作が検出されたことに基づいて、所定演出を実行可能であるところ、複数のタイミングのうち最も遅い特定タイミングに応じて所定演出が実行される場合に、遊技者の動作を促す促進態様に応じて、有利状態に制御される割合が異なります。
　引用文献１には、検出した遊技者の動作に基づく演出について、何ら開示となり得る記載がありません。そのため、促進態様に応じた有利状態に制御される割合についても、引用文献１に開示や示唆となり得る記載はありません。
　引用文献２に記載された発明では、カットイン１５５が表示される場合に、複数のタイミングのうち最も遅いタイミングになりますが、遊技者の動作を促す促進態様については、引用文献２の段落［０２１９］において、「演出表示領域Ｄｂに枠ボタン２２の操作を促す画像（図示せず）が表示される。」と記載されているにすぎません。引用文献３にも、遊技者の動作を促す促進態様については、開示や示唆となり得る記載がありません。そのため、引用文献２、３に記載された発明を、引用文献１に記載された発明に適用したとしても、本願の請求項１に係る発明が備える促進態様に関する技術的特徴を得ることはできません。その他、引用文献１−３のいずれにも、本願の請求項１に記載された発明の特徴が得られるような動機付けとなる諸事情について、開示や示唆となり得る記載がなく、当業者が容易に想到し得るものではありません。
　以上により、当業者は、本願の請求項１に係る発明を認識しない客観的な観点から、引用文献に記載された発明に基づいて、本願の請求項１に係る発明の特徴が得られるように動機付けられるものではなく、本願の請求項１に係る発明と引用文献１に記載された発明との間の相違点は、進歩性が否定される方向に働く要素に係る諸事情を考慮したとしても、当業者が容易に想到する論理付けができるものではありません。
　本願の請求項１に係る発明は、複数のタイミングのうち最も遅いタイミングに応じて所定演出が実行される場合に、遊技者の動作を促す促進態様に応じて、有利状態に制御される割合が異なるので、所定演出が実行される前から遊技者に期待感を持たせることができるように作用します。また、最も遅いタイミングに応じて所定演出が実行される場合なので、遊技者による動作を最後に促すときに期待感を持たせることにより、遊技者の動作意欲を高めるように作用します。
　本願の請求項１に係る発明は、これらの相乗的な作用によって、遊技の興趣を向上させる有利な効果を奏するものです。
　したがって、本願の請求項１に係る発明は、仮に、進歩性が否定される方向に働く要素に係る諸事情に基づき論理付けができると判断される場合であったとしても、進歩性が肯定される方向に働く要素に係る諸事情も含めて総合的に評価した上で、当業者が容易に想到する論理付けができるものではありません。」 
　エ　しかしながら、上記「（４）ア」で説示したように、引用発明において、興趣の向上という目的を動機として、引用文献２記載事項を採用することは、当業者が適宜なし得たことである。
　また、上記「（２）ク」で説示したように、遊技者の動作を促す促進態様に応じて、有利状態に制御される割合を異ならせることは、周知（周知技術１）であるところ、上記「（４）ア」及び「（４）エ」で説示したように、引用発明に引用文献２記載事項を適用するにあたり、当該周知技術１のような周知の示唆を採用することは、当業者における設計事項であって、さらに、それにより得られる効果も、格別顕著なものということはできない。
　オ　したがって、上記イ及びエで説示したように、令和１年５月１５日付け審判請求書及び平成３０年９月１１日付け意見書における審判請求人の主張は、いずれも理由がない。 
（５）独立特許要件のむすび
　以上のとおりであるから、本願補正発明は、特許法第２９条第２項の規定により、特許出願の際独立して特許を受けることができないものである。
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１５９条第１項において読み替えて準用する同法第５３条第１項の規定により却下すべきものである。
第３　本願発明について　
１　本願発明 
　本件補正は上記第２のとおり却下されたので、本願の請求項１に係る発明（以下「本願発明」という。）は、平成３０年３月２８日付け手続補正書で補正された、上記第２〔理由〕１（１）に本件補正前の請求項１として記載したとおりのものであって、再掲すると次のとおりのものである。なお、記号Ａ−１ないしＧ−１は、分説するために合議体が付した。
「Ａ−１　可変表示を行い、遊技者に価値を付与可能な遊技機であって、
　Ｂ−１　可変表示の実行回数が特定回数となるまで、遊技者にとって有利な有利状態に制御可能な制御手段と、
　Ｃ−１　前記有利状態の終了に対応して、遊技者に付与された価値に関する結果報知を実行可能な報知手段と、
　Ｄ−１　遊技者の動作を検出可能な検出手段と、
　Ｅ−１　複数のタイミングのうちいずれかのタイミングにおいて前記検出手段により遊技者の動作が検出されたことに基づいて、所定演出を実行可能な演出実行手段とを備え、
　Ｆ−１　前記特定回数の可変表示が終了する際の特定期間において、前記結果報知を実行し、
　Ｇ−１　所定演出が実行されるタイミングに応じて、実行可能な所定演出の態様が異なる、
　Ａ−１　ことを特徴とする遊技機。」
２　原査定の概要 
　原査定は、平成３０年３月２８日に提出された手続補正書により補正がされた請求項１に係る発明は、本願の出願前に日本国内又は外国において、頒布された又は電気通信回線を通じて公衆に利用可能となった下記の引用文献１及び２に記載された発明に基いて、その出願前にその発明の属する技術の分野における通常の知識を有する者が容易に発明をすることができたものであるから、特許法第２９条第２項の規定により特許を受けることができない、という拒絶理由を含むものである。
  
引用文献１．特開２０１４−１８４０７６号公報
引用文献２．特開２０１５−２２１３４７号公報
３　引用文献
　引用文献１（引用発明）の記載事項は、上記「第２〔理由〕３（２）ア」に記載したとおりである。
　また、引用文献２の記載事項は、上記「第２〔理由〕３（２）イ」に記載したとおりである。
４　対比・判断
　本願補正発明は、上記「第２〔理由〕１（２）」のとおり、本願発明を特定するために必要な事項を追加してさらに限定したものであるところ、本願発明の構成Ａ−１ないしＦ−１は、本願補正発明の構成ＡないしＦと同じであり、本願発明のＧ−１は、本願補正発明の構成Ｇの「所定演出が実行されるタイミングに応じて、実行可能な所定演出の態様が異なるとともに、所定演出が実行されるタイミングにかかわらず、１の所定演出を実行可能であり」から、「所定演出が実行されるタイミングにかかわらず、１の所定演出を実行可能であ」る点を省いたものである。
　そうすると、上記「第２〔理由〕３（４）」で説示した理由と同様の理由により、本願発明は、引用発明、引用文献２記載事項及び周知・慣用技術に基づいて、または、引用発明、引用文献２記載事項、周知技術２及び周知・慣用技術に基づいて、当業者が容易に発明することができたものである。
５　むすび 
　以上のとおりであるから、本願発明は、特許法第２９条第２項の規定により特許を受けることができないから、他の請求項に係る発明について検討するまでもなく、本願は拒絶されるべきものである。 
  
　よって、結論のとおり審決する。